(57)【要約】【課題】  正確な通話時間を計測可能な電話装置を提供する。【解決手段】  Ｓ０１ステップでダイヤル信号の送出が完了し、極性反転を検出するか（Ｓ０２ステップのＹ）、ＲＢＴ（リングバックトーン）の検出を終了するか（Ｓ０５ステップのＹ）、受話音声を検出すると（Ｓ０６ステップのＹ）、通話時間の表示を開始するとともに通話時間のカウントを開始する。【選択図】  図４
2010098573.tif 000002
【特許請求の範囲】
【請求項１】
回線の極性反転を検出する極性反転検出部と、リングバックトーンを検出するリングバックトーン検出回路と、通話時間を表示する表示部とを有し、
前記極性反転検出部が回線の極性反転を検出するか、又は、前記リングバックトーン検出回路が回線からのリングバックトーンを検出しなくなると、前記表示部は通話時間の表示を開始することを特徴とする電話装置。
【請求項２】
回線の極性反転を検出する極性反転検出部と、リングバックトーンを検出するリングバックトーン検出回路と、相手側の音声信号を検出する受話音声検出回路と、通話時間を表示する表示部とを有し、
前記極性反転検出部が回線の極性反転を検出するか、又は、前記リングバックトーン検出回路が回線からのリングバックトーンを検出しなくなるか、又は、前記受話音声検出回路が相手側の音声信号の検出を行うと、前記表示部は通話時間の表示を開始することを特徴とする電話装置。
【請求項３】
回線の極性反転を検出する極性反転検出部と、リングバックトーンを検出するリングバックトーン検出回路と、通話時間の計時を行う計時部とを有し、
前記極性反転検出部が回線の極性反転を検出するか、又は、前記リングバックトーン検出回路が回線からのリングバックトーンを検出しなくなると、前記計時部は通話時間の計時を開始することを特徴とする電話装置。
【請求項４】
回線の極性反転を検出する極性反転検出部と、リングバックトーンを検出するリングバックトーン検出回路と、相手側の音声信号を検出する受話音声検出回路と、通話時間の計時を行う計時部とを有し、
前記極性反転検出部が回線の極性反転を検出するか、又は、前記リングバックトーン検出回路が回線からのリングバックトーンを検出しなくなるか、又は、前記受話音声検出回路が相手側の音声信号の検出を行うと、前記計時部は通話時間の計時を開始することを特徴とする電話装置。
【発明の詳細な説明】
【技術分野】
【０００１】
本発明は、通話時間を表示可能な電話装置に関する。
【背景技術】
【０００２】
現在市販されているコードレス電話には、通話時間を表示する機能が搭載されているものが存在する。また、回線の極性反転を検出した時点を回線の接続開始時点とすることにより、回線の接続時間を求める技術が提案されている（特許文献１）。更に、実際に極性反転を検出した時点を通話開始時点として通話時間を求める電話装置も製品化されている。
【特許文献１】特開２００２−１４１９７５号公報
【発明の開示】
【発明が解決しようとする課題】
【０００３】
このように、従来の電話装置やファクシミリ装置などでは、主に電話をかける際の通話時間を表示する目的で、ダイヤル発信完了後に電話回線の極性反転を検出して相手応答を判断している。これは、電話をかける際の通話開始は相手が応答した時点から時間計測するのが正しい通話時間になるという考えのもとに成り立っており、相手応答を交換機が検出すると回線の極性を反転する、といった事象を利用しているものである。
しかしながら昨今の状況では相手応答時の極性反転は確実な信号とは言えなくなっている。日本国内の場合、東西のＮＴＴの加入者回線（PSTN）では相手応答時に極性反転するが、事業所などの構内交換機（PBX）や、ADSL、ISDNなど電話端末装置が直接PSTNに接続されないで中間機器が存在する場合などにおいては、PBXや中間機器の仕様により相手応答時に極性反転しないことが珍しくはない。
このように相手応答時の極性反転は、電話端末装置にとって確実な信号とは言えないために、極性反転しない回線に接続された場合には相手応答時に通話時間が表示されないというような不具合が生じる場合があった。また、この問題を防ぐためにダイヤル発信完了時点から一定時間（例えば１０秒間）経過した時点で相手応答したものとみなし、通話時間表示開始する方法も考えられるが、実際の相手応答のタイミングとは大きな隔たりが生じるという問題点があった。
【課題を解決するための手段】
【０００４】
本発明はこのような課題を解決するためのものであり、請求項１記載の発明は、回線の極性反転を検出する極性反転検出部と、リングバックトーンを検出するリングバックトーン検出回路と、通話時間を表示する表示部とを有し、前記極性反転検出部が回線の極性反転を検出するか、又は、前記リングバックトーン検出回路が回線からのリングバックトーンを検出しなくなると、前記表示部は通話時間の表示を開始することを特徴とする。
請求項２記載の発明は、回線の極性反転を検出する極性反転検出部と、リングバックトーンを検出するリングバックトーン検出回路と、相手側の音声信号を検出する受話音声検出回路と、通話時間を表示する表示部とを有し、前記極性反転検出部が回線の極性反転を検出するか、又は、前記リングバックトーン検出回路が回線からのリングバックトーンを検出しなくなるか、又は、前記受話音声検出回路が相手側の音声信号の検出を行うと、前記表示部は通話時間の表示を開始することを特徴とする。
請求項３記載の発明は、回線の極性反転を検出する極性反転検出部と、リングバックトーンを検出するリングバックトーン検出回路と、通話時間の計時を行う計時部とを有し、
前記極性反転検出部が回線の極性反転を検出するか、又は、前記リングバックトーン検出回路が回線からのリングバックトーンを検出しなくなると、前記計時部は通話時間の計時を開始することを特徴とする。
請求項４記載の発明は、回線の極性反転を検出する極性反転検出部と、リングバックトーンを検出するリングバックトーン検出回路と、相手側の音声信号を検出する受話音声検出回路と、通話時間の計時を行う計時部とを有し、前記極性反転検出部が回線の極性反転を検出するか、又は、前記リングバックトーン検出回路が回線からのリングバックトーンを検出しなくなるか、又は、前記受話音声検出回路が相手側の音声信号の検出を行うと、前記計時部は通話時間の計時を開始することを特徴とする。
【発明の効果】
【０００５】
本発明によれば、回線側で相手応答時の極性反転が発生しない場合でも対応可能とするために、ＲＢＴ（リングバックトーン）信号の有無を検出するか、また、受話信号内の音声信号の有無を検出することにより、通話開始と判断している。このため、より精度の高い相手応答検出を実現できる。
【０００６】
又、本発明では、東西のＮＴＴの加入者回線（PSTN）等の極性反転を行う回線にて正確な通話時間を計測できるだけでなく、事業所などの構内交換機（PBX）や、ADSL、ISDNなど電話端末装置が直接PSTNに接続されないで中間機器が存在する場合などにおいても、正確な通話時間を計測できる。
【０００７】
請求項１及び２に記載の発明によれば、正確な通話時間を表示できる。又、請求項３及び４に記載の発明によれば、正確な通話時間を計測できる。
【発明を実施するための最良の形態】
【０００８】
以下、本発明の具体例を実施例及び図面を用いて詳細に説明する。但し、以下に示す実施例は、本発明の技術的思想を具体化するための電話装置を例示するものであって、本発明をこの電話装置に特定することを意図するものではなく、本発明の技術的範囲は、特許請求の範囲の記載によって定められるものである。
【実施例】
【０００９】
図１は、本発明の実施例にかかるコードレス電話システム１０の全体構成を示す図である。本実施例のコードレス電話システム１０は、電話回線に接続された電話装置の親機２０と、無線通信機能を介してこの親機２０と接続される２台の子機３０ａ，３０ｂとを有してなる。更に、子機３０ａと３０ｂとは、親機２０を介在して無線接続される。尚、このコードレス電話システム１０の通信方式は、アナログ、デジタルのいずれであってもよい。
【００１０】
次に、本発明の実施例にかかるコードレス電話システム１０の回路構成を説明する。図２は、本発明の実施例にかかる親機２０の構成を示すブロック図である。親機２０は、制御部２１、着信検出部２２、回線接続部２３、表示部２４、操作部２５、メモリ部２６、ＡＣアダプタ２７、電源部２８、送信部３０、受信部３１、周波数シンセサイザー３２、送受信アンテナ３３、受話器３４などを備えて構成されている。
【００１１】
制御部２１は、マイクロプロセッサを中心に構成され、一般的なコンピュータ装置と同様にＲＯＭ、フラッシュメモリなどのメモリ機能を備えており、このメモリに格納されている各種制御プログラムを読み出して処理を担う。
【００１２】
回線接続部２３は、電話回線と接続されて回線の解放閉結を行ったり、親機２０の電話帳データに記憶されている電話番号情報に基づいて電話回線を通じた発呼処理を行う。又、回線接続部２３は、回線の極性反転を検出する機能と、回線からの音声信号を検出する機能と、回線からのＲＢＴ（リングバックトーン）を検出する機能を有している。
【００１３】
着信検出部２２は、回路接続部２３からの着信信号を受けて着信を検出すると共に、当該着信信号をパルス信号に波形整形して制御部２１に出力する。尚、回線からのＲＢＴ（リングバックトーン）を検出する機能をこの着信検出部２２に持たせても良い。
【００１４】
表示部２４は、液晶パネル等から構成される表示ユニットであり、制御部２１からの制御信号に応じて、電話帳データである電話番号、通話時間や、通話料金などのテキストデータ等の適宜の表示を行う。
【００１５】
操作部２５は、数字や文字の入力などを行うためのテンキー、発呼および通話の開始などを操作するための通話キー、通話の終了などを操作するための終話キー、電話帳の検索・登録を行うための電話帳キー、その他の各種モードを設定するための操作を行うためのモード設定キー等から構成される。
【００１６】
メモリ部２６は、例えばフラッシュメモリによって構成され、氏名と電話番号とを対で複数格納可能な電話帳機能や、着信履歴や発信履歴を格納する機能等を有している。
【００１７】
電源部２８は、ＡＣアダプタ２７から所定の直流電圧を受けて、各回路構成要素に電源を供給する。
【００１８】
送信部３０と受信部３１は、送受信アンテナ３３を介して子機３０との間に無線通信による通話リンクを確立させて、信号の送受信を行う。また、周波数シンセサイザー３２は、当該子機との無線通信のための信号発振を担い、制御部２１からの制御信号によって、送信部３０と受信部３１の送受信周波数を適宜切り換える。
【００１９】
受話器３４は、通話用のスピーカ（ＳＰ）とマイク（ＭＩＣ）とで構成される。スピーカ（ＳＰ）は、図示しない制御部２１内の音声信号処理部で生成された電気信号を増幅して音声として出力する。マイク（ＭＩＣ）は、音声を電気信号に増幅変換して制御部２１内の音声信号処理部に出力する。
【００２０】
次に、図３を参照しつつ、本発明の実施例にかかる子機３０の構成を説明する。コードレス電話装置の子機３０は、制御部４１、表示部４２、操作部４３、メモリ部４４、電源部４５、充電部４６、ＡＣアダプタ４７、送信部４８、受信部４９、周波数シンセサイザー５０、送受信アンテナ５１、レシーバ５２などを備えて構成されている。これらの構成は基本的な機能は親機と変わらず、親機２０と異なる構成のみ以下に説明する。
電源部４５は、充電式のバッテリーを内蔵し、子機３０の各回路構成要素に電源を供給する。充電部４６は、子機３０が充電台（図示せず）に載置されている間、ＡＣアダプタ４７から与えられる直流電圧により電源部４５のバッテリーの充電を行う。
【００２１】
送信部４８と受信部４９は、送受信アンテナ５１を介して親機２０との間に無線通信による通話リンクを確立させて、信号の送受信を行う。また、周波数シンセサイザー５０は、当該親機２０との無線通信のための信号発振を担い、制御部４１からの制御信号によって、送信部４８と受信部４９の送受信周波数を切り換える。
【００２２】
上述のような構成を有する本実施例の電話装置の動作内容を図４のフローチャートを参照しつつ以下詳細に説明する。図４は親機２０の動作を示すフロー図である。
【００２３】
図４のＳ０１ステップにおいて、制御部２１は、操作部２５からダイヤル番号の入力とダイヤル発信の操作があると判定すると、回線接続部２３に回線を接続させ続いて入力された電話番号を回線へ出力させる。
【００２４】
続くＳ０２ステップでは、制御部２１は、回線接続部２３が回線の極性反転を検出したと判定すると、Ｓ０３ステップへ処理を進め、そうでなければＳ０４ステップへ処理を進める。
【００２５】
Ｓ０３ステップでは、制御部２１は、通話時間のカウントを開始し、カウントしている通話時間を表示部２４に表示させる。
【００２６】
Ｓ０４ステップでは、制御部２１は、回線からのＲＢＴ（リングバックトーン）を回線接続部２３が検出したと判定するとＳ０５ステップへ処理を進め、そうでなければＳ０６ステップへ処理を進める。
【００２７】
Ｓ０５ステップでは、制御部２１は、回線接続部２３が、回線からのＲＢＴ（リングバックトーン）の検出を停止したと判定するとＳ０３ステップへ処理を進め、そうでなければＳ０４ステップへ処理を戻す。
【００２８】
Ｓ０６ステップでは、制御部２１は、回線接続部２３が回線からの音声信号を検出したと判定するとＳ０３ステップへ処理を進め、そうでなければＳ０２ステップへ処理を戻す。
以上説明したように、本実施例装置では、回線側で相手応答時の極性反転が発生しない場合でも対応可能とするために、ＲＢＴ（リングバックトーン）信号の有無を検出するか、また、受話信号内の音声信号の有無を検出することにより、通話開始と判断している。このため、より精度の高い相手応答検出を実現できる。
【００２９】
又、東西のＮＴＴの加入者回線（PSTN）等の極性反転を行う回線にて正確な通話時間を計測できるだけでなく、事業所などの構内交換機（PBX）や、ADSL、ISDNなど電話端末装置が直接PSTNに接続されないで中間機器が存在する場合などにおいても、正確な通話時間を計測できる。
【００３０】
尚、本実施例ではコードレス電話装置について実施したが、留守番電話装置、電話機能付ファクシミリ装置、Ｖｏｉｐ（Voice Over Internet Protocol）等の電話装置においても同様に実施可能である。
【図面の簡単な説明】
【００３１】
【図１】本発明を適用してなる実施例装置の全体図である。
【図２】本発明を適用してなる実施例装置の親機のブロック図である。
【図３】本発明を適用してなる実施例装置の子機のブロック図である。
【図４】本実施例装置の動作を示すフロー図である。
【符号の説明】
【００３２】
１０・・・・コードレス電話システム
２０・・・・親機
２１・・・・制御部
２２・・・・着信検出部
２３・・・・回線接続部
２４・・・・表示部
２５・・・・操作部
２６・・・・メモリ部
２７・・・・メモリ
２７・・・・ＡＣアダプタ
２８・・・・電源部
２９・・・・録音・再生ユニット
３０・・・・送信部
３０ａ，３０ｂ  無線子機
３１・・・・受信部
３２・・・・周波数シンセサイザー
３３・・・・無線通信アンテナ
３４・・・・受話器
４１・・・・制御部
４２・・・・表示部
４３・・・・操作部
４４・・・・メモリ部
４５・・・・電源部
４６・・・・充電部
４７・・・・ＡＣアダプタ
４８・・・・送信部
４９・・・・受信部
５０・・・・周波数シンセサイザ
５１・・・・無線通信アンテナ
５２・・・・レシーバ
【図１】
2010098573.tif 000003
【図２】
2010098573.tif 000004
【図３】
2010098573.tif 000005
【図４】
2010098573.tif 000006